(57)【要約】【課題】痔疾患者の着座時の痛みを確実に緩和できる痔疾患者用下着を提供することである。【解決手段】下着本体１の内側に、所定圧の空気を封入した円環状のゴムチューブ５とその外面を覆う当て布６とからなる環状管２を、着用者の肛門部Ｃと対向する部位を囲むように縫い付け、着用者が座ったときにその臀部Ｂをわずかに扁平に変形した環状管２で支持して、肛門部Ｃが座面Ａから圧迫を受けないようにすることにより、痔疾患者の着座時の痛みを確実に緩和できるようにしたのである。【選択図】図３
2006223697.tif 000002
【特許請求の範囲】
【請求項１】
パンツ状の下着本体に、弾性体で環状に形成して内部に所定の圧力の気体を封入した管を、着用者の肛門部と対向する部位を囲むように縫い付け、着用者が座ったときにその臀部を前記環状管で支持するようにした痔疾患者用下着。
【請求項２】
前記下着本体の肛門部と対向する部位に、下着本体側から防水布と吸水布とを順に重ねて縫い付けたことを特徴とする請求項１に記載の痔疾患者用下着。
【発明の詳細な説明】
【技術分野】
【０００１】
本発明は、痔疾を患っている人が着用するのに好適な下着に関する。
【背景技術】
【０００２】
一般に、痔疾を患っている人は、椅子等に座ったときに、自身の体重で患部が椅子等の座面から衣服および下着を介して圧迫を受けることにより、激しい痛みを感じることがある。このような痔疾患者の着座時の痛みを緩和する手段としては、着座時に肛門部が圧迫されないようにドーナツ形に形成した座布団を使用する方法がある。しかし、このドーナツ形座布団は、嵩高いうえ、使用時には周囲の人に痔疾を患っていることを知らせるものとなるため、携行しにくいという難点があった。
【０００３】
これに対して、パンツ等の下着に、肛門部に当接する部分を切除した形状に形成された緩衝層を設けることにより、着座時に肛門部が座面から受ける圧迫を軽減する機能を付与することが提案されている（例えば、特許文献１参照。）。
【０００４】
上記のような痔疾患者用の下着は、前述のドーナツ形座布団と異なって持ち運ぶ必要がなく、人目につかず使用できる利点がある。しかしながら、特許文献１に記載された痔疾患用パンツのように、緩衝層に優れたクッション性を有する布を用いた場合には、その厚みを外見から目立たない程度にすると、着用者が座ったときに緩衝層が大きく沈み込むことにより、肛門部が座面から受ける圧迫が軽減される割合が小さく、痔疾患者の着座時の痛みを十分に緩和できないおそれがある。
【特許文献１】特開平１１−３１８９７４号公報
【発明の開示】
【発明が解決しようとする課題】
【０００５】
本発明の課題は、痔疾患者の着座時の痛みを確実に緩和できる痔疾患者用下着を提供することである。
【課題を解決するための手段】
【０００６】
上記の課題を解決するために、本発明の痔疾患者用下着は、パンツ状の下着本体に、弾性体で環状に形成して内部に所定の圧力の気体を封入した管を、着用者の肛門部と対向する部位を囲むように縫い付け、着用者が座ったときにその臀部を前記環状管で支持する構成とした。
【０００７】
すなわち、着用者が着座したときに、その臀部を下着本体に縫い付けた弾性体製の環状管で支持し、環状管内部の気体の圧力を適度に設定しておくことで環状管の扁平変形を小さく抑えることにより、肛門部が座面から受ける圧迫を大幅に軽減できるようにしたのである。
【０００８】
上記の構成において、前記下着本体の肛門部と対向する部位に、下着本体側から防水布と吸水布とを順に重ねて縫い付ければ、痔疾患者の患部からの出血があった場合にも、その血液を吸水布で吸収して肛門部に不快感が生じないようにするとともに、防水布で血液の下着本体への滲出を防止することができる。
【発明の効果】
【０００９】
本発明の痔疾患者用下着は、上述したように、内部に気体を封入した弾性体製の環状管を、着用者の肛門部と対向する部位を囲むように縫い付け、着用者が座ったときにその臀部をわずかに扁平変形した環状管で支持して、肛門部が座面から受ける圧迫を大幅に軽減できるようにしたものであるから、痔疾患者の着座時の痛みを確実に緩和することができる。
【発明を実施するための最良の形態】
【００１０】
以下、図面に基づき、この発明の実施形態を説明する。この痔疾患者用下着は、図１に示すように、ショーツ形下着本体１の股部１ａから後身部１ｂにかけての内側に、円環状に形成した管２と、吸水布３と、防水布４とからなる中当部材を縫い付けたものである。環状管２は着用者の肛門部と対向する部位を囲むように縫い付けられており、肛門部と対向する部位には、下着本体１側から防水布４と吸水布３とが順に重ねて縫い付けてある。
【００１１】
図２に示すように、前記環状管２は、管径約２０ｍｍのゴム製チューブ５と、チューブ５の外面を覆うナイロンメッシュ製の当て布６とからなり、当て布６の内外周縁部が防水布４に縫い付けられている。ゴムチューブ５の内部には空気が所定の圧力で封入され、後述するように、着用者が椅子等に座って体重をかけても大きく変形しないようになっている。なお、チューブ５は、合成樹脂等、ゴム以外の弾性体で形成してもよい。また、当て布６の素材は、ナイロンメッシュに限らず、通気性と肌触りが良いものであればよい。
【００１２】
前記吸水布３は、抗菌・消臭効果があり、吸水性に優れたポリエステルや、アクリル、レーヨン等の不織布を、環状管２内径とほぼ同じ直径の円形に形成したもので、その外周縁部を防水布４に縫い付けられている。
【００１３】
また、前記防水布４は、ポリエステル等の合成繊維の表面にポリウレタンラミネート加工を施して防水性を付与したもので、環状管２外径よりも大きい直径の円形に形成され、図１に示したように、その外周縁部を下着本体１に縫い付けられている。
【００１４】
そして、図３に示すように、この下着を着用した人が椅子等の座面Ａに座ったときには、下着本体１に縫い付けられた環状管２が、わずかに扁平に変形した状態で、着用者の臀部Ｂのうちの坐骨結節直下の部位を支持することにより、着用者の肛門部Ｃが座面Ａから圧迫を受けないようになっている。
【００１５】
この痔疾患者用下着は、上記の構成であり、着用者が座ったときにその臀部Ｂを環状管２で支持することにより、肛門部Ｃが圧迫されないようになっているので、痔疾患者の着座時の痛みを確実に緩和することができる。また、肛門部Ｃと対向する部位には吸水布３と防水布４が縫い付けられているので、痔疾患者の患部からの出血があった場合にも、その血液は吸水布３に吸収されるため肛門部Ｃに不快感を生じさせることがないし、防水布４により下着本体１への滲出も防止される。
【００１６】
なお、環状管は、着用者の肛門部を囲む部位を支持するように縫い付けられていればよいが、肛門部が受ける圧迫をなくすあるいは効果的に軽減するためには、図３に示したように、少なくとも坐骨結節直下の部位を支持できる大きさおよび形状とすることが望ましい。また、ゴムチューブ内の空気圧は、着座時のチューブ変形量を、肛門部が圧迫されずかつ座り心地を阻害しない範囲に収めるように設定することが望ましい。従って、予め空気圧の異なるチューブを使用した下着を数種類用意しておき、着用者が体重や患部の状態等に応じて適当なものを選べるようにするとよい。
【００１７】
図４および図５は、中当部材の形状の変形例を示す。図４の例は、中当部材を構成する環状管２、吸水布３および防水布４を、それぞれ平面視楕円状に形成したものである。一方、図５の例は、環状管２を略長円形に形成してその長手方向の中央部で折り曲げ、この環状管２の形状を保ったまま、環状管２および吸水布３を防水布４に縫い付けることにより、環状管２が着用者の臀部により均一に密着するようにしたものである。
【００１８】
なお、本発明は、下着本体が実施形態のようなショーツ形のものに限らず、ブリーフ形やトランクス形等、パンツ状のものであれば適用できることは言うまでもない。また、環状管は、一部が切断されたＣ字状やＵ字状に形成してもよいし、複数個所で切断されていても全体としての輪郭が環状であればよい。さらに、本発明を適用した下着は、図３に示したように、着用者の肛門部と吸水布との間に空間を形成することもできるので、失便用としての使用にも適している。
【図面の簡単な説明】
【００１９】
【図１】実施形態の痔疾患者用下着の外観斜視図
【図２】図１の下着の中当部材の縦断面図
【図３】図１の下着の使用状態を説明する縦断面図
【図４】中当部材の変形例の平面図
【図５】中当部材の別の変形例の外観斜視図
【符号の説明】
【００２０】
１  下着本体
２  環状管
３  吸水布
４  防水布
５  ゴムチューブ
６  当て布
Ａ  座面
Ｂ  臀部
Ｃ  肛門部
【図１】
2006223697.tif 000003
【図２】
2006223697.tif 000004
【図３】
2006223697.tif 000005
【図４】
2006223697.tif 000006
【図５】
2006223697.tif 000007